(57)【要約】【課題】  長期間に亘ってセンサホルダの固定を維持し、車輪の回転速度検出の信頼性を向上させた回転速度検出装置付き車輪用軸受装置を提供する。【解決手段】  センサホルダ１６が、外方部材５の端部外周５ｃに圧入される円筒状の嵌合部１７ａと、これから径方向内方に延びる鍔部１７ｂと、これから軸方向に延びる底部１７ｃとからなる鋼板製のカバー１７と、この底部１７ｃに結合され、回転速度センサ１９が包埋された合成樹脂製の保持部１８とを備え、外方部材５の端部外周５ｃとカバー１７の嵌合部１７ａとの間にペースト状の不乾性の液状シール剤２６が介装されている。これにより、長期間に亘ってセンサホルダ１６の固定を維持すると共に、外部から検出部に雨水やダスト等が侵入するのを防止して車輪の回転速度検出の信頼性を向上させることができる。【選択図】図２
2007010480.tif 000002
【特許請求の範囲】
【請求項１】
外周にナックルに取り付けるための車体取付フランジを一体に有し、内周に複列の外側転走面が形成された外方部材と、
一端部に車輪を取り付けるための車輪取付フランジを一体に有し、外周に軸方向に延びる小径段部が形成されたハブ輪、およびこのハブ輪の小径段部に圧入された内輪とからなり、外周に前記複列の外側転走面に対向する内側転走面が形成された内方部材と、
この内方部材および前記外方部材のそれぞれの転走面間に転動自在に収容された複列の転動体と、
前記外方部材の端部に装着され、回転速度センサを有するセンサホルダと、
前記内輪に外嵌され、前記回転速度センサに所定のエアギャップを介して対向配置された磁気エンコーダとを備えた回転速度検出装置付き車輪用軸受装置において、
前記センサホルダが、前記外方部材の端部外周に圧入される円筒状の嵌合部と、この嵌合部から径方向内方に延びる鍔部と、この鍔部から軸方向に延びる底部とからなる鋼板製のカバーと、
このカバーの底部に結合され、前記回転速度センサが包埋された合成樹脂製の保持部とを備え、
前記外方部材の端部外周と前記カバーの嵌合部との間に液状シール剤が介装されていることを特徴とする回転速度検出装置付き車輪用軸受装置。
【請求項２】
前記液状シール剤がペースト状の不乾性である請求項１に記載の回転速度検出装置付き車輪用軸受装置。
【請求項３】
前記カバーが防錆能を有する鋼板で形成されている請求項１または２に記載の回転速度検出装置付き車輪用軸受装置。
【請求項４】
前記カバーがオーステナイト系ステンレス鋼鈑で形成されている請求項３に記載の回転速度検出装置付き車輪用軸受装置。
【請求項５】
前記外方部材に前記ナックルのインロウ部が形成されると共に、このインロウ部より前記端部外周が小径に形成され、その外径が前記嵌合部の断面高さに相当する段差になるように設定されている請求項１乃至４いずれかに記載の回転速度検出装置付き車輪用軸受装置。
【発明の詳細な説明】
【技術分野】
【０００１】
本発明は、自動車等の車輪を回転自在に支承すると共に、この車輪の回転速度を検出する回転速度検出装置が内蔵された回転速度検出装置付き車輪用軸受装置に関するものである。
【背景技術】
【０００２】
自動車の車輪を懸架装置に対して回転自在に支承すると共に、アンチロックブレーキシステム（ＡＢＳ）を制御するため、車輪の回転速度を検出する回転速度検出装置が内蔵された回転速度検出装置付き車輪用軸受装置が一般的に知られている。従来、このような車輪用軸受装置は、転動体を介して転接する内方部材および外方部材の間にシール装置が設けられ、円周方向に磁極を交互に並べてなる磁気エンコーダを前記シール装置に一体化させると共に、磁気エンコーダと、この磁気エンコーダに対面配置され、車輪の回転に伴う磁気エンコーダの磁極変化を検出する回転速度センサとで回転速度検出装置が構成されている。
【０００３】
前記回転速度センサは、懸架装置を構成するナックルに車輪用軸受装置が装着された後、当該ナックルに装着されているものが一般的である。しかし、この回転速度センサと磁気エンコーダとのエアギャップ調整作業の煩雑さを解消すると共に、よりコンパクト化を狙って最近では、回転速度センサをも軸受に内蔵した回転速度検出装置付き車輪用軸受装置が提案されている。
【０００４】
このような回転速度検出装置付き車輪用軸受装置の一例として図４に示すような構造が知られている。この回転速度検出装置付き車輪用軸受装置は、図示しない懸架装置に支持固定され、固定部材となる外方部材６１と、この外方部材６１に複列の転動体（ボール）６３、６３を介して内挿された内方部材６２とを有している。外方部材６１は、外周に車体取付フランジ６１ｂを一体に有し、内周には複列の外側転走面６１ａ、６１ａが形成されている。一方、内方部材６２は、前記した外方部材６１の外側転走面６１ａ、６１ａに対向する複列の内側転走面６５ａ、６６ａが形成されている。これら複列の内側転走面６５ａ、６６ａのうち一方の内側転走面６５ａはハブ輪６５の外周に一体形成され、他方の内側転走面６６ａは内輪６６の外周にそれぞれ形成されている。この内輪６６は、ハブ輪６５の内側転走面６５ａから軸方向に延びる円筒状の小径段部６５ｂに圧入されている。そして、複列の転動体６３、６３がこれら両転走面間にそれぞれ収容され、保持器６７、６７によって転動自在に保持されている。
【０００５】
ハブ輪６５は、外周に車輪（図示せず）を取り付けるための車輪取付フランジ６４を一体に有し、この車輪取付フランジ６４の円周等配位置には車輪を固定するためのハブボルト６４ａが植設されている。また、ハブ輪６５の内周にはセレーション６５ｃが形成され、図示しない等速自在継手を構成する外側継手部材７０のステム部７１が内嵌されている。内方部材６２は、このハブ輪６５と内輪６６を指す。そして、外方部材６１の端部にはシール６８、６９が装着され、軸受内部に封入された潤滑グリースの漏洩と、外部から軸受内部に雨水やダスト等が侵入するのを防止している。
【０００６】
インボード側のシール６９は、図５に拡大して示すように、外方部材６１の端部内周に内嵌され、断面Ｌ字状に形成された第１のシール板７２と、この第１のシール板７２に対向し、断面Ｌ字状に形成された第２のシール板７３とからなる。この第２のシール板７３は、内輪６６に外嵌される円筒部７３ａと、この円筒部７３ａから径方向外方に延びる立板部７３ｂとを有し、この立板部７３ｂの外側面には、磁性体粉が混入され、周方向に交互に磁極Ｎ、Ｓが形成されたゴム磁石からなる磁気エンコーダ７４が一体に加硫接着されている。
【０００７】
一方、第１のシール板７２は、断面Ｌ字状に形成された芯金７５と、この芯金７５に一体に加硫接着され、前記第２のシール板７３における立板部７３ｂの内側面に摺接するサイドリップ７６ａと、円筒部７３ａに摺接する一対のラジアルリップ７６ｂ、７６ｃとからなるシール部材７６とを有している。
【０００８】
ここで、外方部材６１の端部には円環状のセンサホルダ７９が装着されている。このセンサホルダ７９は、嵌合筒７７と、この嵌合筒７７に結合された保持部７８とからなる。嵌合筒７７は、円筒状の嵌合筒部７７ａと、この嵌合筒部７７ａから径方向内方に延びる内向鍔部７７ｂとからなり、全体として円環状に形成されている。
【０００９】
また、保持部７８は、その内部に前記磁気エンコーダ７４に所定のエアギャップを介して対峙する回転速度センサ８０が包埋され、合成樹脂で円弧状に一体モールド成形されている。回転速度センサ８０は、ホール素子、磁気抵抗素子（ＭＲ素子）等、磁束の流れ方向に応じて特性を変化させる磁気検出素子と、この磁気検出素子の出力波形を整える波形成形回路が組み込まれたＩＣとからなる。
【００１０】
また、内輪６６の端面と嵌合筒７７の内向鍔部７７ｂとを微小隙間８１を介して全周に亙り近接対向させてラビリンスシールが構成されている。これにより、自動車の完成品メーカの組立ラインへの搬送時を含む、ハブ輪６５の内径に外側継手部材７０のステム部７１を嵌合する以前の状態でも、磁気エンコーダ７４と回転速度センサ８０の検出部との間に外部から磁性粉末等の異物が侵入するのを防止でき、車輪の回転速度検出の信頼性向上を図ることができる。
【特許文献１】特開２００３−２５４９８５号公報
【発明の開示】
【発明が解決しようとする課題】
【００１１】
こうした従来の回転速度検出装置付き車輪用軸受装置は、自動車の完成品メーカの組立ラインへの搬送時を含む、ハブ輪６５の内径に外側継手部材７０のステム部７１を嵌合する以前の状態でも、磁気エンコーダ７４と回転速度センサ８０の検出部との間に外部から磁性粉末等の異物が侵入するのを防止できるという特徴を具備しているものの、円筒状の嵌合筒７７が外方部材６１の端部に圧入された時、嵌合筒７７の剛性不足によって嵌合筒部７７ａの開口端部がラッパ状に開き（図中２点鎖線にて示す）、センサホルダ７９が軸方向に移動する恐れがある。さらに、この種の車輪用軸受装置においては、走行時に様々な振動が発生すると共に、外方部材６１には負荷される荷重によって繰り返し変形が生じるために嵌合筒７７が微動し、磁気エンコーダ７４と回転速度センサ８０の検出部との間のエアギャップが崩れる恐れがある。これにより、車輪の回転速度検出の信頼性が低下するだけでなく、長期間の使用において、センサホルダ７９が外方部材６１から脱落する恐れがあった。
【００１２】
本発明は、このような事情に鑑みてなされたもので、長期間に亘ってセンサホルダの固定を維持し、車輪の回転速度検出の信頼性を向上させた回転速度検出装置付き車輪用軸受装置を提供することを目的としている。
【課題を解決するための手段】
【００１３】
係る目的を達成すべく、本発明のうち請求項１記載の発明は、外周にナックルに取り付けるための車体取付フランジを一体に有し、内周に複列の外側転走面が形成された外方部材と、一端部に車輪を取り付けるための車輪取付フランジを一体に有し、外周に軸方向に延びる小径段部が形成されたハブ輪、およびこのハブ輪の小径段部に圧入された内輪とからなり、外周に前記複列の外側転走面に対向する内側転走面が形成された内方部材と、この内方部材および前記外方部材のそれぞれの転走面間に転動自在に収容された複列の転動体と、前記外方部材の端部に装着され、回転速度センサを有するセンサホルダと、前記内輪に外嵌され、前記回転速度センサに所定のエアギャップを介して対向配置された磁気エンコーダとを備えた回転速度検出装置付き車輪用軸受装置において、前記センサホルダが、前記外方部材の端部外周に圧入される円筒状の嵌合部と、この嵌合部から径方向内方に延びる鍔部と、この鍔部から軸方向に延びる底部とからなる鋼板製のカバーと、このカバーの底部に結合され、前記回転速度センサが包埋された合成樹脂製の保持部とを備え、前記外方部材の端部外周と前記カバーの嵌合部との間に液状シール剤が介装されている構成を採用した。
【００１４】
このように、内輪回転タイプの回転速度検出装置付き車輪用軸受装置において、センサホルダが、外方部材の端部外周に圧入される円筒状の嵌合部と、この嵌合部から径方向内方に延びる鍔部と、この鍔部から軸方向に延びる底部とからなる鋼板製のカバーと、このカバーの底部に結合され、回転速度センサが包埋された合成樹脂製の保持部とを備え、外方部材の端部外周とカバーの嵌合部との間に液状シール剤が介装されているので、長期間に亘ってセンサホルダの固定を維持すると共に、外部から検出部に雨水やダスト等が侵入するのを防止して車輪の回転速度検出の信頼性を向上させることができる。
【００１５】
好ましくは、請求項２に記載の発明のように、前記液状シール剤がペースト状の不乾性であれば、カバーの嵌合によって剥離することなく両部材間のすきまを密封することができる。
【００１６】
また、請求項３に記載の発明のように、前記カバーが防錆能を有する鋼板で形成されていれば、塩水等に直接曝されても耐候性が高く長期間に亘って劣化する恐れがない。
【００１７】
好ましくは、請求項４に記載の発明のように、前記カバーがオーステナイト系ステンレス鋼鈑で形成されていれば、回転速度センサの感知性能に悪影響を及ぼさず、検出精度を向上させることができる。
【００１８】
また、請求項５に記載の発明のように、前記外方部材に前記ナックルのインロウ部が形成されると共に、このインロウ部より前記端部外周が小径に形成され、その外径が前記嵌合部の断面高さに相当する段差になるように設定されていれば、組立完了後は、嵌合部がナックルの内径に拘束されているためラッパ状の変形が抑制され、車両走行時に振動が発生しても、また、外方部材に大きな荷重が負荷され、繰り返し楕円形状等に変形が生じても、カバーは外方部材に対して移動することはない。
【発明の効果】
【００１９】
本発明に係る回転速度検出装置付き車輪用軸受装置は、外周にナックルに取り付けるための車体取付フランジを一体に有し、内周に複列の外側転走面が形成された外方部材と、一端部に車輪を取り付けるための車輪取付フランジを一体に有し、外周に軸方向に延びる小径段部が形成されたハブ輪、およびこのハブ輪の小径段部に圧入された内輪とからなり、外周に前記複列の外側転走面に対向する内側転走面が形成された内方部材と、この内方部材および前記外方部材のそれぞれの転走面間に転動自在に収容された複列の転動体と、前記外方部材の端部に装着され、回転速度センサを有するセンサホルダと、前記内輪に外嵌され、前記回転速度センサに所定のエアギャップを介して対向配置された磁気エンコーダとを備えた回転速度検出装置付き車輪用軸受装置において、前記センサホルダが、前記外方部材の端部外周に圧入される円筒状の嵌合部と、この嵌合部から径方向内方に延びる鍔部と、この鍔部から軸方向に延びる底部とからなる鋼板製のカバーと、このカバーの底部に結合され、前記回転速度センサが包埋された合成樹脂製の保持部とを備え、前記外方部材の端部外周と前記カバーの嵌合部との間に液状シール剤が介装されているので、長期間に亘ってセンサホルダの固定を維持すると共に、外部から検出部に雨水やダスト等が侵入するのを防止して車輪の回転速度検出の信頼性を向上させることができる。
【発明を実施するための最良の形態】
【００２０】
外周にナックルに取り付けるための車体取付フランジを一体に有し、内周に複列の外側転走面が形成された外方部材と、一端部に車輪を取り付けるための車輪取付フランジを一体に有し、外周に前記複列の外側転走面に対向する一方の内側転走面と、この内側転走面から軸方向に延びる円筒状の小径段部が形成されたハブ輪、およびこのハブ輪の小径段部に圧入され、外周に前記複列の外側転走面に対向する他方の内側転走面が形成された内輪とからなる内方部材と、この内方部材および前記外方部材のそれぞれの転走面間に転動自在に収容された複列の転動体と、前記外方部材の端部に装着され、回転速度センサを有するセンサホルダと、前記内輪に外嵌され、前記回転速度センサに所定のエアギャップを介して対向配置された磁気エンコーダとを備えた回転速度検出装置付き車輪用軸受装置において、前記センサホルダが、前記外方部材の端部外周に圧入される円筒状の嵌合部と、この嵌合部から径方向内方に延びる鍔部と、この鍔部から軸方向に延びる底部とからなる鋼板製のカバーと、このカバーの底部に結合され、前記回転速度センサが包埋された合成樹脂製の保持部とを備え、前記外方部材の端部外周と前記カバーの嵌合部との間にペースト状の不乾性の液状シール剤が介装されている。
【実施例１】
【００２１】
以下、本発明の実施の形態を図面に基づいて詳細に説明する。
図１は、本発明に係る回転速度検出装置付き車輪用軸受装置の第１の実施形態を示す縦断面図、図２は、図１の要部拡大図である。なお、以下の説明では、車両に組み付けた状態で車両の外側寄りとなる側をアウトボード側（図面左側）、中央寄り側をインボード側（図面右側）という。
【００２２】
この回転速度検出装置付き車輪用軸受装置は駆動輪用の第３世代と称され、ハブ輪１と内輪２とからなる内方部材３と、この内方部材３に複列の転動体（ボール）４、４を介して外挿された外方部材５とを備えている。
【００２３】
ハブ輪１は、アウトボード側の端部に車輪（図示せず）を取り付けるための車輪取付フランジ６を一体に有し、この車輪取付フランジ６の円周等配位置にハブボルト６ａが植設されている。また、外周には一方（アウトボード側）の内側転走面１ａと、この内側転走面１ａから軸方向に延びる円筒状の小径段部１ｂが形成されている。この小径段部１ｂには外周に他方（インボード側）の内側転走面２ａが形成された内輪２が所定のシメシロを介して圧入されている。
【００２４】
外方部材５は、Ｓ５３Ｃ等の炭素０．４０〜０．８０ｗｔ％を含む中炭素鋼からなり、外周に懸架装置を構成するナックルＮに取り付けるための車体取付フランジ５ｂを一体に有し、内周に前記複列の内側転走面１ａ、２ａに対向する複列の外側転走面５ａ、５ａが一体に形成されている。これら外側転走面５ａ、５ａには高周波焼入れによって表面硬さを５８〜６４ＨＲＣの範囲に硬化層が形成されている。そして、この外方部材５の外側転走面５ａ、５ａと、これらに対向する複列の内側転走面１ａ、２ａ間には複列の転動体４、４がそれぞれ収容され、保持器７、７によって転動自在に保持されている。また、外方部材５の端部にはシール８、９が装着され、軸受内部に封入された潤滑グリースの漏洩と、外部から軸受内部に雨水やダスト等が侵入するのを防止している。
【００２５】
ハブ輪１は、Ｓ５３Ｃ等の炭素０．４０〜０．８０ｗｔ％を含む中炭素鋼からなり、アウトボード側のシール８が摺接するシールランド部から内側転走面１ａおよび小径段部１ｂに亙って高周波焼入れによって表面硬さを５８〜６４ＨＲＣの範囲に硬化層が形成されている。これにより、車輪取付フランジ６の基部となるシールランド部は耐摩耗性が向上するばかりでなく、車輪取付フランジ６に負荷される回転曲げ荷重に対して充分な機械的強度を有し、ハブ輪１の耐久性が一層向上する。一方、内輪２は、ＳＵＪ２等の高炭素クロム軸受鋼からなり、ズブ焼入れにより芯部まで５８〜６４ＨＲＣの範囲で硬化処理されている。
【００２６】
ハブ輪１の内周にはセレーション（またはスプライン）１ｃが形成され、等速自在継手１０を構成する外側継手部材１１が内嵌されている。外側継手部材１１は、カップ状のマウス部１２と、このマウス部１２の底部をなす肩部１３、およびこの肩部１３から軸方向に延びるステム部１４を一体に備えている。ステム部１４の外周にはセレーション（またはスプライン）１４ａが形成され、ハブ輪１のセレーション１ｃに係合している。外側継手部材１１は、その肩部１３が内輪２に突き合わされ、固定ナット１５によってハブ輪１と外側継手部材１２とが着脱可能に軸方向に一体結合されている。また、ステム部１４の基部はハブ輪１の小径段部１ｂの内径に所定の径方向すきまを介して内嵌されている。これにより、ハブ輪１の端部はステム部１４に円筒支持されるので、ハブ輪１の剛性が増して耐久性が一段と向上する。なお、ここでは、転動体４、４をボールとした複列アンギュラ玉軸受を例示したが、これに限らず転動体に円すいころを使用した複列円すいころ軸受であっても良い。また、本実施形態では、第３世代と称される構造を例示したが、これに限らず、例えば、第２世代構造であっても良い。
【００２７】
本実施形態では、センサホルダ１６が外方部材５の端部に装着されている。このセンサホルダ１６は、図２に拡大して示すように、断面が略カップ状に形成されたカバー１７と、このカバー１７に結合された保持部１８とで構成されている。カバー１７は外方部材５の端部外周５ｃに圧入される円筒状の嵌合部１７ａと、この嵌合部１７ａから径方向内方に延びる鍔部１７ｂと、この鍔部１７ｂから軸方向に延びる底部１７ｃとからなり、全体として円環状に形成されている。センサホルダ１６は、カバー１７の鍔部１７ｂを外方部材５の端面に密着させた状態で、嵌合部１７ａが外方部材５の端部外周５ｃに外嵌することにより外方部材５に固定されるので、センサホルダ１６が外方部材５に対して容易に、かつ正確に位置決め固定することができ、車輪の回転速度を精度良く検出することができる。なお、底部１７ｃには円孔１７ｄが形成され、外側継手部材１１の肩部１３と僅かな径方向すきまを介して対峙し、ラビリンスシール２５を構成している。
【００２８】
カバー１７は、ステンレス鋼板や防錆処理された冷間圧延鋼鈑（ＪＩＳ規格のＳＰＣＣ系等）の耐食性を有する鋼板等をプレス加工にて形成されている。特に、カバー１７が、後述する回転速度センサ１９の感知性能に悪影響を及ぼさないように、非磁性体の鋼鈑、例えば、オーステナイト系ステンレス鋼鈑（ＪＩＳ規格のＳＵＳ３０４系等）で形成されるのが好ましい。
【００２９】
保持部１８は合成樹脂を射出成形することにより形成され、回転速度センサ１９が包埋されてハーネス１８ａが一体に接続されている。そして、カバー１７における底部１７ｃの径方向外方の一箇所に形成された切欠き部（図示せず）からワンタッチで弾性装着されている。なお、保持部１８は、カバー１７に射出成形によって一体に結合されていても良く、また、カバー１７の底部１７ｃに嵌合するように円環状に形成されていても良い。なお、回転速度センサ１９は、ホール素子、磁気抵抗素子（ＭＲ素子）等、磁束の流れ方向に応じて特性を変化させる磁気検出素子と、この磁気検出素子の出力波形を整える波形成形回路が組み込まれたＩＣとからなる。
【００３０】
一方、内輪２の外径にはスリンガ２０が圧入され、保持部１８と軸方向に対向している。このスリンガ２０はインボード側のシール９を構成し、内輪２に圧入される円筒部２０ａと、この円筒部２０ａから径方向外方に延びる立板部２０ｂとからなる。なお、このスリンガ２０は、強磁性体の鋼鈑、例えば、フェライト系のステンレス鋼鈑（ＪＩＳ規格のＳＵＳ４３０系等）や、防錆処理された冷間圧延鋼鈑（ＪＩＳ規格のＳＰＣＣ系等）からプレス加工によって断面略Ｌ字状に形成されている。そして、スリンガ２０における立板部２０ｂのインボード側の側面には、ゴム等のエラストマにフェライト等の磁性体粉が混入された磁気エンコーダ２１が一体に加硫接着されている。この磁気エンコーダ２１は、周方向に交互に磁極Ｎ、Ｓが着磁され、車輪の回転速度検出用のロータリエンコーダを構成している。なお、ここでは、磁気エンコーダ２１をエラストマ製としたものを例示したが、これに限らず、例えば、フェライト等からなる強磁性体粉を金属バインダーで固めた燒結金属製であっても良い。
【００３１】
インボード側のシール９は、前記スリンガ２０と、このスリンガ２０に対向して外方部材５装着され、断面略Ｌ字状に形成された環状のシール板２２とからなる。このシール板２２は、外方部材５の端部に内嵌される円筒部２３ａと、この円筒部２３ａの一端から径方向内方に延びる立板部２３ｂとからなる芯金２３と、この芯金２３に加硫接着されたシール部材２４とからなる。芯金２３は、オーステナイト系ステンレス鋼鈑（ＪＩＳ規格のＳＵＳ３０４系等）、あるいは、防錆処理された冷間圧延鋼鈑（ＪＩＳ規格のＳＰＣＣ系等）からプレス加工にて形成されている。
【００３２】
シール部材２４はゴム等の弾性部材からなり、前記スリンガ２０の立板部２０ｂに摺接するサイドリップ２４ａと、円筒部２０ａに摺接するグリースリップ２４ｂおよび中間リップ２４ｃとからなる。また、スリンガ２０における立板部２０ｂの外縁は、芯金２３の円筒部２３ａと僅かな径方向すきまを介して対峙してラビリンスシール２５を構成している。
【００３３】
本実施形態では、インボード側のシール９とセンサホルダ１６とが軸方向に対向配置され、シール９を構成するスリンガ２０に磁気エンコーダ２１が一体接合されると共に、センサホルダ１６を構成する保持部１８に回転速度センサ１９が包埋され、この回転速度センサ１９が、磁気エンコーダ２１に軸方向すきま（エアギャップ）を介して対向配置されている。そして、回転速度センサ１９の出力がハーネス１８ａによって取り出され、図示しないＡＢＳの制御器に送られる。なお、ここでは回転速度検出装置として、磁気エンコーダ２１と、ホール素子等の磁気検出素子からなる回転速度センサ１９とからなるアクティブタイプの回転速度検出装置を例示したが、本発明に係る回転速度検出装置はこれに限らず、例えば、磁気エンコーダと、磁石と巻回された環状のコイル等からなるパッシブタイプであっても良い。
【００３４】
ここで、カバー１７の嵌合部１７ａと外方部材５の端部外周５ｃとの間に液状シール剤２６が介装されている。この液状シール剤２６は、液状ガスケットとも称され、具体的には、変性エステル樹脂を主成分としたペースト状の不乾性で、カバー１７の嵌合によって剥離することなく両部材間のすきまを密封することができる（商品名；スリーボンド１１２１）。また、この液状シール剤２６は粘着性をも有するため、長期間に亘ってセンサホルダ１６の固定を維持すると共に、外部から検出部に雨水やダスト等が侵入するのを防止して車輪の回転速度検出の信頼性を向上させることができる。
【００３５】
なお、ここでは、液状シール剤２６として変性エステル樹脂を主成分としたものを例示したが、これに限らず、例えば、フェノール系、アクリル系、あるいはシリコン系樹脂を主成分としたものであっても良い。
【００３６】
外方部材５の外周は、カバー１７が嵌合される端部外周５ｃと、ナックルＮの支持面となるインロウ部５ｄとからなり、端部外周５ｃはこのインロウ部５ｄより小径に形成されている。なお、端部外周５ｃとインロウ部５ｄは、嵌合部１７ａの断面高さに相当する段差に設定されている。これにより、組立完了後は、嵌合部１７ａがナックルＮの内径に拘束されているため嵌合部１７ａがラッパ状に変形するのをさらに抑制することができ、車両走行時に振動が発生しても、また、外方部材５に大きな荷重が負荷され、繰り返し楕円形状等に変形が生じても、カバー１７は外方部材５に対して移動するのを確実に防止することができる。
【実施例２】
【００３７】
図３は、本発明に係る回転速度検出装置付き車輪用軸受装置の第２の実施形態を示す縦断面図である。なお、この実施形態は従動輪用の車輪用軸受装置で、前述した実施形態と同一部品同一部位あるいは同一機能を有する部位には同じ符号を付しその詳細な説明を省略する。
【００３８】
この回転速度検出装置付き車輪用軸受装置は第３世代と称され、内方部材２７と外方部材５と、この両部材２７、５間に収容された複列の転動体４、４とを備えている。内方部材２７は、ハブ輪２８と、このハブ輪２８に外嵌された別体の内輪２とからなる。
【００３９】
ハブ輪２８は、アウトボード側の端部に車輪取付フランジ６を一体に有し、この車輪取付フランジ６の円周等配位置には車輪を固定するためのハブボルト６ａが植設されている。また、ハブ輪２８の外周には、内側転走面１ａと、この内側転走面１ａから軸方向に延びる軸状の小径段部１ｂが形成されている。そして、外周に内側転走面２ａが形成された内輪２がこの小径段部１ｂに圧入され、さらに、小径段部１ｂの端部を径方向外方に塑性変形させて形成した加締部２８ａにより、ハブ輪２８に対して内輪２が軸方向へ抜けるのを防止している。
【００４０】
ハブ輪２８は、Ｓ５３Ｃ等の炭素０．４０〜０．８０ｗｔ％を含む中炭素鋼で形成され、アウトボード側の内側転走面１ａをはじめ、アウトボード側のシール８が摺接するシールランド部、および小径段部１ｂに亙って高周波焼入れによって表面硬さを５８〜６４ＨＲＣの範囲に硬化処理されている。なお、加締部２８ａは、鍛造後の素材表面硬さ２５ＨＲＣ以下の未焼入れ部としている。また、外方部材５の端部にはシール８およびカバー３０が装着され、軸受内部に封入された潤滑グリースの漏洩を防止すると共に、外部から雨水やダスト等が軸受内部に侵入するのを防止している。
【００４１】
内輪２の外径にはスリンガ２０が圧入されている。このスリンガ２０は内輪２の外径に嵌合される円筒部２０ａと、この円筒部２０ａから径方向外方に延びる立板部２０ｂとを有し、この立板部２０ｂの側面に磁気エンコーダ２１が接合されている。
【００４２】
ここで、外方部材５のインボード側の端部外周５ｃには、センサホルダ２９が装着されている。このセンサホルダ２９は、断面が略カップ状に形成されたカバー３０と、このカバー３０に結合された保持部１８とで構成されている。
【００４３】
カバー３０は、耐食性を有する鋼鈑、例えば、オーステナイト系ステンレス鋼鈑（ＪＩＳ規格のＳＵＳ３０４系等）、あるいは防錆処理された冷間圧延鋼鈑（ＪＩＳ規格のＳＰＣＣ系等）をプレス加工によって有底の円環状に形成され、外方部材５の端部外周５ｃに圧入される円筒状の嵌合部３０ａと、この嵌合部３０ａから径方向内方に延びる重合部（鍔部）３０ｂと、この重合部３０ｂから軸方向に延びる底部３０ｃとで構成されている。重合部３０ｂは、カバー３０を外方部材５に圧入する際の位置決め用としての機能と、カバー３０の剛性を高める機能とを有している。これにより、カバー３０の圧入作業を簡便化すると共に、後述する回転速度センサ１９と磁気エンコーダ２１との正確なエアギャップ調整ができる。
【００４４】
また、カバー３０の底部には保持部１８の装着孔３１が形成されている。装着孔３１は、プレス成形によりインボード側に突出した円筒状に形成されている。この保持部１８には回転速度センサ１９が包埋されると共に、保持部１８がシールリング３２を介して装着孔３１に嵌挿され、磁気エンコーダ２１に所定の軸方向すきま（エアギャップ）を介して対峙している。
【００４５】
本実施形態では、外方部材５の端部に装着されたカバー３０が防錆能を有する金属製で形成されると共に、カバー３０の嵌合部３０ａに液状シール剤２６が塗布されている。これにより、塩水等に直接曝されても耐候性が高く劣化する恐れがなく、また、密封性が向上するため、検出部に異物が侵入するのを防止し、耐久性と信頼性に富んだ回転速度検出装置付き車輪用軸受装置を提供することができる。
【００４６】
以上、本発明の実施の形態について説明を行ったが、本発明はこうした実施の形態に何等限定されるものではなく、あくまで例示であって、本発明の要旨を逸脱しない範囲内において、さらに種々なる形態で実施し得ることは勿論のことであり、本発明の範囲は、特許請求の範囲の記載によって示され、さらに特許請求の範囲に記載の均等の意味、および範囲内のすべての変更を含む。
【産業上の利用可能性】
【００４７】
本発明に係る回転速度検出装置付き車輪用軸受装置は、内輪回転構造において、従動輪側、駆動輪側に拘わらず、回転速度検出装置が内蔵された車輪用軸受装置に適用できる。
【図面の簡単な説明】
【００４８】
【図１】本発明に係る回転速度検出装置付き車輪用軸受装置の第１の実施形態を示す縦断面図である。
【図２】同上、要部拡大図である。
【図３】本発明に係る回転速度検出装置付き車輪用軸受装置の第２の実施形態を示す縦断面図である。
【図４】従来の回転速度検出装置付き車輪用軸受装置を示す縦断面図である。
【図５】同上、要部拡大図である。
【符号の説明】
【００４９】
１、２８・・・・・・・・・ハブ輪
１ａ、２ａ・・・・・・・・内側転走面
１ｂ・・・・・・・・・・・小径段部
１ｃ、１４ａ・・・・・・・セレーション
２・・・・・・・・・・・・内輪
３、２７・・・・・・・・・内方部材
４・・・・・・・・・・・・転動体
５・・・・・・・・・・・・外方部材
５ａ・・・・・・・・・・・外側転走面
５ｂ・・・・・・・・・・・車体取付フランジ
５ｃ・・・・・・・・・・・端部外周
５ｄ・・・・・・・・・・・インロウ部
６・・・・・・・・・・・・車輪取付フランジ
６ａ・・・・・・・・・・・ハブボルト
７・・・・・・・・・・・・保持器
８・・・・・・・・・・・・アウトボード側のシール
９・・・・・・・・・・・・インボード側のシール
１０・・・・・・・・・・・等速自在継手
１１・・・・・・・・・・・外側継手部材
１２・・・・・・・・・・・マウス部
１３・・・・・・・・・・・肩部
１４・・・・・・・・・・・ステム部
１５・・・・・・・・・・・固定ナット
１６、２９・・・・・・・・センサホルダ
１７、３０・・・・・・・・カバー
１７ａ、３０ａ・・・・・・嵌合部
１７ｂ・・・・・・・・・・鍔部
１７ｃ、３０ｃ・・・・・・底部
１７ｄ・・・・・・・・・・円孔
１８・・・・・・・・・・・保持部
１８ａ・・・・・・・・・・ハーネス
１９・・・・・・・・・・・回転速度センサ
２０・・・・・・・・・・・スリンガ
２０ａ、２３ａ・・・・・・円筒部
２０ｂ、２３ｂ・・・・・・立板部
２１・・・・・・・・・・・磁気エンコーダ
２２・・・・・・・・・・・シール板
２３・・・・・・・・・・・芯金
２４・・・・・・・・・・・シール部材
２４ａ・・・・・・・・・・サイドリップ
２４ｂ・・・・・・・・・・グリースリップ
２４ｃ・・・・・・・・・・中間リップ
２５・・・・・・・・・・・ラビリンスシール
２６・・・・・・・・・・・液状シール剤
２８ａ・・・・・・・・・・加締部
３０ｂ・・・・・・・・・・重合部
３１・・・・・・・・・・・装着孔
３２・・・・・・・・・・・シールリング
５０・・・・・・・・・・・穿孔
５１・・・・・・・・・・・環状板
６１・・・・・・・・・・・外方部材
６１ａ・・・・・・・・・・外側転走面
６１ｂ・・・・・・・・・・車体取付フランジ
６２・・・・・・・・・・・内方部材
６３・・・・・・・・・・・転動体
６４・・・・・・・・・・・車輪取付フランジ
６４ａ・・・・・・・・・・ハブボルト
６５・・・・・・・・・・・ハブ輪
６５ａ、６６ａ・・・・・・内側転走面
６５ｂ・・・・・・・・・・小径段部
６５ｃ・・・・・・・・・・セレーション
６６・・・・・・・・・・・内輪
６７・・・・・・・・・・・保持器
６８、６９・・・・・・・・シール
７０・・・・・・・・・・・外側継手部材
７１・・・・・・・・・・・ステム部
７２・・・・・・・・・・・第１のシール板
７３・・・・・・・・・・・第２のシール板
７３ａ・・・・・・・・・・円筒部
７３ｂ・・・・・・・・・・立板部
７４・・・・・・・・・・・磁気エンコーダ
７５・・・・・・・・・・・芯金
７６・・・・・・・・・・・シール部材
７６ａ・・・・・・・・・・サイドリップ
７６ｂ、７６ｃ・・・・・・ラジアルリップ
７７・・・・・・・・・・・嵌合筒
７７ａ・・・・・・・・・・嵌合筒部
７７ｂ・・・・・・・・・・内向鍔部
７８・・・・・・・・・・・保持部
７９・・・・・・・・・・・センサホルダ
８０・・・・・・・・・・・回転速度センサ
８１・・・・・・・・・・・微小隙間
Ｎ・・・・・・・・・・・・ナックル
【図１】
2007010480.tif 000003
【図２】
2007010480.tif 000004
【図３】
2007010480.tif 000005
【図４】
2007010480.tif 000006
【図５】
2007010480.tif 000007